(57)【要約】【課題】緊急時に警報を発する機能を備えた棒状防御器具を提供する。【構成】伸縮する軸部を少なくとも備えた棒状の防御器具において、前記防御器具の軸部を縮めた状態においては具備した緊急警報装置が停止状態であり、前記軸部を伸ばした状態においては前記緊急警報装置が作動状態であることを特徴とする緊急警報付き棒状防御器具。【選択図】図１
2006277703.tif 000002
【特許請求の範囲】
【請求項１】
伸縮する軸部を少なくとも備えた棒状の防御器具において、前記防御器具の軸部を縮めた状態においては具備した緊急警報装置が停止状態であり、前記軸部を伸ばした状態においては前記緊急警報装置が作動状態であることを特徴とする緊急警報付き棒状防御器具。
【請求項２】
請求項１の棒状防御器具において、前記軸部に空洞が設けられていることと緊急警報装置が前記空洞の軸部内部に設置されていることを特徴とする緊急警報付き棒状防御器具。
【請求項３】
請求項１の棒状防御器具において、前記緊急警報装置が前記軸部の外側に取り付けてあることを特徴とする緊急警報付き棒状防御器具。
【請求項４】
請求項１から３のいずれかの棒状防御器具において、前記伸縮する棒状の軸部の先端に湾曲した形状を備えた捕捉部が設けられていることを特徴とする緊急警報付き棒状防御器具。
【請求項５】
請求項４の棒状防御器具において、前記緊急警報装置が少なくとも大音量の警報音を発することを特徴とする緊急警報付き棒状防御器具。
【請求項６】
請求項４または５の棒状防御器具において、前記緊急警報装置が少なくとも前記緊急警報装置からの発信信号で遠隔場所の受信機に緊急事態を通報することを特徴とする緊急警報付き棒状防御器具。
【請求項７】
請求項４から６のいずれかの棒状防御器具において、前記緊急警報装置が少なくとも前記緊急警報装置から前記棒状防御器具先端に向けて光を発することを特徴とする緊急警報付き棒状防御器具。
【発明の詳細な説明】
【技術分野】緊急警報付き棒状防御器具に関する。
【背景技術】
【０００１】刃物などの凶器を携えた侵入者に対して防御するための器具はいくつか考案されてきており、棒状の器具で防御するアイディアも一般的である。たとえば、太さ３０ｍｍで長さ１メートル程度の棒を約５０センチメートルの腕で振り回すことで自分自身のまわりの約１メートル５０センチメートルの空間に侵入者を入り込ませないようにできる。棒状防御器具は広い空間でも狭い廊下においてもその状況に応じて振り回すことによって身を守れる手軽でかつ効果的な防御器具である。棒状防御器具としては様々な形状のものが考案されている。その１つとしてサスマタがある。このサスマタは棒の先端が２つに分かれている構造である。特開２００４−１１９４８号公報には被取り押え者を攻撃することなく、しかもその行動を簡単かつ安全確実に抑制することができる取り押え器具技術を公開している。サスマタが侵入者の動きを抑制するための工夫はいろいろと提案されている。特開２００３−２５４６９７号公報では先端部分が侵入者を囲む形状に変形する。特開２００１−１８３０９１号公報、特開２００１−２８９５９３号公報、特開平９−１７２９３７号公報、特開平９−６１０９５号公報にも同様に形状を変形する工夫が示されている。サスマタの収納についての工夫もなされてきている。サスマタは万が一の備えとしておいて置くものである。サスマタが邪魔になってしまっては設置に躊躇したりしていざという時に必要なサスマタが置いていないということもありえる。特開平１０−８９８９５号公報、特開平８−１６９４５号公報、特開２００３−１０６７９７号公報、特開平１１−９４４９６号公報では伸縮する技術について開示されている。サスマタに突起や催眠スプレーを取り付けた例として特開２００４−２８５６０号公報に技術開示がなされている。棒状防御器具の別の例としてはいわゆる警棒などの一本の棒状態のものがある。警棒においても伸縮性のものが考案されている。
【特許文献１】  特開２００４−１１９４８号公報  （第１頁）
【特許文献２】  特開２００３−２５４６９７号公報（第１頁）
【特許文献３】  特開２００１−１８３０９１号公報（第１頁）
【特許文献４】  特開２００１−２８９５９３号公報（第１頁）
【特許文献５】  特開平９−１７２９３７号公報    （第１頁）
【特許文献６】  特開平９−６１０９５号公報      （第１頁）
【特許文献７】  特開平１０−８９８９５号公報    （第１頁）
【特許文献８】  特開平８−１６９４５号公報      （第１頁）
【特許文献９】  特開２００３−１０６７９７号公報（第１頁）
【特許文献１０】  特開平１１−９４４９６号公報    （第１頁）
【特許文献１１】  特開２００４−２８５６０号公報  （第１頁）
【発明の開示】
【発明が解決しようとする課題】
【０００２】  特開２００４−１１９４８号公報で示される技術では侵入者に対処している間にこの状況を周囲に伝えるということができない。凶器を携えた侵入者と対峙している状況では気が動転していて意外と大声が出せないものである。侵入者と二人だけになって誰にも知らせることができずにサスマタや警棒といった棒状防御器具で対応しているのはなんとも不安なものであり、危険度も高まる。本発明では棒状防御器具を使用しなくてはならない状況での安全度を高めるという課題を解決するものである。
【課題を解決するための手段】
【０００３】  本発明の緊急警報付き棒状防御器具は、伸縮する軸部を少なくとも備えた棒状の防御器具である特徴に加えて、前記防御器具の軸部を縮めた状態においては具備した緊急警報装置が停止状態であり、前記軸部を伸ばした状態においては前記緊急警報装置が作動状態であることを第１の特徴とし、
第２に、前記第１の特徴に加えて、前記軸部に空洞が設けられていることと緊急警報装置が前記空洞の軸部内部に設置されていることを、
第３に、前記第１の特徴に加えて、前記緊急警報装置が前記軸部の外側に取り付けてあることを、
第４に、前記第１から第３のいずれかの特徴に加えて、前記伸縮する棒状の軸部の先端に湾曲した形状を備えた捕捉部が設けられていることを、
第５に、前記第４の特徴に加えて、前記緊急警報装置が少なくとも大音量の警報音を発することを、
第６に、前記第４または第５の特徴に加えて、前記緊急警報装置が少なくとも前記緊急警報装置からの発信信号で遠隔場所の受信機に緊急事態を通報することを、
第７に、前記第４から第６のいずれかの特徴に加えて、前記緊急警報装置が少なくとも前記緊急警報装置から前記棒状防御器具先端に向けて光を発することを特徴とする。
【発明の効果】
【０００４】本発明の緊急警報付き棒状防御器具を用いると、軸を縮めた状態で保管してあったサスマタや警棒等の形状をした防御器具を侵入者への対処として伸ばして用いたその瞬間から警報が自動的に発信されるので防御器具使用者は侵入者への対応に集中することができる。警報が発せられることで侵入者がひるむという効果もある。サスマタや警棒等の防御器具を身構えてかつ警報も鳴り響くという状況で侵入者が逃げ出してくれればその場の緊急の危険は回避できる。侵入者が逃げ出さない場合でも周囲に異常事態を周知することができるので応援が駆けつけてくれることが期待される。緊急警報を遠隔場所に無線通信や赤外線通信などの方法で通報する場合には確実に対応者が居る場所に連絡することができるので応援等の対応が期待できる。たとえば学校に侵入者が入った場合には児童の安全を考えて侵入場所から離れた校舎の児童も含めて安全な場所に避難させることや、その侵入場所から児童が居る場所の途中の廊下で大人が待ち構えて児童の居る場所への侵入を阻む準備をするなどの準備をすることができる。
【発明を実施するための最良の形態】
【０００５】本発明の最良の形態について図１を用いて説明する。図１は本発明の最良の形態のサスマタの実施例であり、（あ）は伸ばした状態、（い）は縮めた状態である。（あ）において、図の左側から順にその部位の説明を行う。捕捉部１は直径１６ｍｍのアルミチューブ製であり、半径４５０ｍｍの略半円形の形状をしているその湾曲先端２にはゴムキャップが装着されている。略半円形状の捕捉部には外径２５ｍｍのアルミチューブが取り付けられている。この部品は先筒４と呼ぶことにする。前記先筒の内部にはスイッチ突起部３が取り付けられている。前記先筒の右側には外径３０ｍｍの中空の中筒５が接続されている。ロック用突起６で伸びた状態で固定されている。先筒と中筒との接続部分の詳細については図１（う）を用いて後で説明する。前記中筒の右側には外径３５ｍｍの元筒７が接続されている。この接続の構造は先筒と中筒との接続部分と同様である。先筒と中筒と元筒で構成された部分を軸部８と呼ぶこととする。元筒の右端である元筒尻端９にはゴムキャップが取り付けられている。前記湾曲先端とこの元筒尻端との距離、すなわちサスマタの長さは２２６０ｍｍである。元筒の右端すなわち軸部の尻部分には緊急警報装置１０が取り付けられている。この緊急警報装置には孔形状のスイッチ受部１１が設けられている。上記説明したサスマタの総重量は約１．５ｋｇである。図１の（い）は上記サスマタを縮めた状態である。湾曲先端２とこの元筒尻端９との距離、すなわちサスマタの長さは１００５ｍｍである。図１の（あ）で示した長さの半分以下のコンパクトなサイズである。【０００６】図１（い）ではスイッチ突起部３がスイッチ受部１１の中に差し込まれた状態となっている。図１（い）の状態ではスイッチがＯＦＦすなわち緊急警報装置が作動していない状態である。一方、図１（あ）の状態ではスイッチ突起部３がスイッチ受部１１から外れた状態となっている。この状態では緊急警報装置がＯＮすなわち作動状態である。この作動状態では大音響のブザーが鳴ると同時に無線で遠隔場所に緊急事態であることを送信する。送信された遠隔場所としてたとえば学校においては職員室では緊急事態の表示と音声による緊急事態の周知を行う。予めこのサスマタの設置場所を登録しておくことで緊急事態発生場所についても周知させることができる。【０００７】図１（う）を用いて伸縮性の軸部の接続部の詳細説明を行う。直径の異なる２つのアルミチューブを入れ子状態に合わせた状態である。外径２５ｍｍの先筒４が外径３０ｍｍで内径２６ｍｍの中筒５の中に一部差し込まれている状態である。ロック用突起６は先筒に設けられた内側筒溝１２の中にその下部にスプリング１３を備えた状態で納められている。ロック用突起は上辺が半球状に盛り上がった円筒形状である。図１（う）は図１（あ）で示したように伸びている状態であり、前記ロック用突起が外側筒穴１４から一部顔を出している。前記外側筒穴の開口径は前記ロック用突起の円筒径よりも小さいのでロック用突起が外に飛び出してしまうことはない。この状態で縮める方向に押されても縮まることのないように中筒は図に示すように窪んでいる。この部分をストッパーくぼみ１５と呼ぶことにする。縮んだ状態から伸ばす際にはこのストッパーくぼみを避けるように軸を回転させて伸ばす。
【実施例】
【０００８】（実施例１）実施例１について図１を用いて説明する。図１で示したサスマタの構造は上述した通りである。ここではこのサスマタを学校の体育館に設置した例について述べる。サスマタは使用時には２メートルを超える長尺であり、その捕捉部の形状が半円形であるので平らな壁や広い床面がある場所で有効に機能する。侵入者に対して複数の人間がそれぞれサスマタを持って対処するほうが安全でありかつ捕捉できる確率も高まる。このサスマタを体育館入り口付近に図１の（い）のように半分の長さに縮めた状態で２セットを収納しておく。実際に侵入者が入ってきてこのサスマタを使用する際にはまず軸部を伸ばす。この伸ばす作業を行うとスイッチ突起部３がスイッチ受部１１から外れるのでこの時点から電池が消耗してしまうまでの時間、緊急警報装置からブザーが鳴り、同時に職員室に無線で緊急事態が知らされる。職員室に設けられた表示灯が赤く点滅して緊急事態の発生を伝える。サスマタで侵入者に対峙して壁に押し付ける等により捕捉する。この際、一人がサスマタで侵入者の上半身を壁に押し付けて、もう一人が別のサスマタで腿の辺りを押し付けながらひねっていくことにより前記侵入者を床に倒すことでより安全な状態で捕捉できる。【０００９】（実施例２）本発明の実施例２について図２を用いて説明する。緊急警報装置１０が外側に取り付けられていることが特徴である。緊急警報装置が取り付けられていない既存のサスマタに後付けする例である。スイッチ突起部３が捕捉部２に取り付けられている。（あ）は伸ばした状態で、ブザーが鳴っている。（い）は収納のために縮めた状態でブザーはＯＦＦである。【００１０】（実施例３）本発明の実施例３について図３を用いて説明する。遠隔場所に緊急事態を自動通報する例である。緊急警報装置１０からは遠隔場所に設置した受信機１６に向けて無線電波１７を発信する。この緊急警報装置は位置認識機能を備えており、前記無線電波にその位置情報も乗せて受信機に伝達する。この位置情報は緊急事態の発生場所を表示する発生位置表示１８に表示する。この例ではサスマタ自身からはブザー音などは発しない。侵入者を待ち受けているような場合にはブザー音はじゃまになることがある。ブザー音を発しないがその位置については遠隔場所で把握するというのがこの実施例である。尚、ここで説明していない部分に関する説明は実施例１の説明に準じる。【００１１】（実施例４）本発明の実施例４について図４を用いて説明する。緊急警報装置１０に投光器１９が具備されていることに特徴がある。緊急警報装置が作動して警報を発すると同時に前記投光器からは強い光２０が捕捉部１に向けて発せられる。この光は前記緊急警報装置の動作と連動している。強い光は侵入者に向けられることになり、夜間においては侵入者をよく見ることができる上にサスマタを使用している人はこの光の影の部分となり侵入者からは見えにくく、侵入者は見えない相手と対峙することになる。明るい空間においても光を当てられる侵入者は心理的に圧迫感を感じて動きが鈍くなると期待される。光を当てても侵入者を傷つけることがない。【００１２】（実施例５）本発明の実施例５について図５を用いて説明する。警棒タイプの防御器具の例である。伸縮性の防御棒である。図１とほぼ同様の構造であるが、先端が二股に分かれておらず、１本の棒状である。棒の先端にはゴムキャップ２１が取り付けられている。緊急警報装置１０は筒の内部に内蔵されている。図５は防御棒が引き伸ばされて緊急警報装置がＯＮの状態を描いている。収納のために縮めた状態ではスイッチ突起部３が前記緊急警報装置１０に差し込まれた状態になり前記緊急警報装置はＯＦＦになる。【００１３】（実施例６）本発明の実施例６について図６を用いて説明する。図５と同様の構造であるが先端部が直線状の２本の棒で構成されている。この直線捕獲部２２は収納時には軸部と並行に曲げてコンパクトに収納できる。【００１４】（実施例７）本発明の実施例７について図７を用いて説明する。この図は図１（う）に示したのと同様に伸縮棒の接続部分を表したものである。筒の内部にロック用突起連動スイッチ２３が埋め込まれていて、ロック用突起が下に押し込まれている状態ではＯＦＦ、図７に描いたように外部に頭を出している状態ではＯＮになる。ロック用突起の状態は連動棒２４によって伝えられる。
【図面の簡単な説明】
【図１】本発明の第１の実施例を示す構成図
【図２】本発明の第２の実施例を示す構成図
【図３】本発明の第３の実施例を示す構成図
【図４】本発明の第４の実施例を示す構成図
【図５】本発明の第５の実施例を示す構成図
【図６】本発明の第６の実施例を示す構成図
【図７】本発明の第７の実施例を示す構成図
【符号の説明】
１は捕捉部、２は湾曲先端、３はスイッチ突起部、４は先筒、５は中筒、６はロック用突起、７は元筒、８は軸部、９は元筒尻端、１０は緊急警報装置、１１はスイッチ受部、１２は内側筒溝、１３はスプリング、１４は外側筒穴、１５はストッパーくぼみ、１６は受信機、１７は無線電波、１８は発生位置表示、１９は投光器、２０は光、２１はゴムキャップ、２２は直線捕獲部、２３はロック用突起連動スイッチ、２４は連動棒である。
【図１】
2006277703.tif 000003
【図２】
2006277703.tif 000004
【図３】
2006277703.tif 000005
【図４】
2006277703.tif 000006
【図５】
2006277703.tif 000007
【図６】
2006277703.tif 000008
【図７】
2006277703.tif 000009